(57)【特許請求の範囲】
【請求項１】
着用者の身体前側と身体後側とに延びる前後方向、前記前後方向に直交する幅方向、着用者に向かう内方向、及び前記内方向と反対側に向かう外方向を有し、
身体前側に配置される前胴周り域と、身体後側に配置される後胴周り域と、前記前胴周り域と前記後胴周り域との間に位置し、着用者の股下に配置される股下域、とを備え、
肌面シート及び吸収体を有する吸収性本体と、
前記前胴周り域に配置される前ウエストベルト部材と、
前記後胴周り域に配置される後ウエストベルト部材と、
前記前ウエストベルト部材の外側縁と前記後ウエストベルト部材の外側縁とが接合されたサイド接合部と、
前記着用者の脚周りに配置される一対の脚周り開口部と、
前記着用者の胴周りに配置される腰周り開口部と、
前記肌面シート及び前記吸収体が厚み方向に圧搾された圧搾部と、を有するショーツ型ナプキンであって、
前記圧搾部は、着用者の排泄口に対向して配置される排泄口対向部よりも幅方向の両外側において前後方向に延びる一対の排泄口圧搾部を有し、
前記排泄口圧搾部の前後方向の中心は、前記股下域内において前記ナプキンの前後方向の中心よりも前側に位置し、
前記脚周り開口部の最も前記幅方向の内側に位置する部分は、前記ナプキンの前後方向の中心よりも前側で、前記前後方向において前記排泄口圧搾部が配置された範囲内に位置し、
前記吸収性本体は、起立性の防漏ギャザーを有しており、
前記防漏ギャザーは、前記前後方向に伸縮する防漏伸縮性部材によって収縮する収縮部と、
前記収縮部よりも前記幅方向の外側に設けられ、前記防漏ギャザーよりも外方向側に位置する裏面側部材に接合された第１接合部分と、
前記収縮部よりも前記前後方向の両外側に設けられ、前記裏面側部材に接合された第２接合部分と、を有し、
前記圧搾部の前端縁は、前記収縮部の前端縁よりも前方に位置し、
前記圧搾部の後端縁は、前記収縮部の後端縁よりも後方に位置する、ショーツ型ナプキン。
【請求項２】
前記排泄口対向部の幅方向の中心における吸収体の目付は、前記排泄口圧搾部が形成された部分の吸収体の目付よりも高い、請求項１に記載のショーツ型ナプキン。
【請求項３】
前記排泄口圧搾部は、前記幅方向の外側又は前記幅方向の内側に向かって突出する形状の凸部を有し、
前記排泄口圧搾部の前後方向の中心は、前記凸部内に位置する、請求項１又は請求項２に記載のショーツ型ナプキン。
【請求項４】
前記脚周り開口部の前記最も前記幅方向の内側に位置する部分は、前記前後方向において前記凸部が配置された範囲内に位置する、請求項３に記載のショーツ型ナプキン。
【請求項５】
前記排泄口圧搾部の前後方向の中心と、前記ナプキンの前後方向の中心と、の距離は、４０ｍｍ以上６０ｍｍ以下である、請求項１から請求項４のいずれかに記載のショーツ型ナプキン。
【請求項６】
前記吸収体の幅方向の長さは、８０ｍｍ以上１００ｍｍ以下であり、
前記一対の排泄口圧搾部の前後方向の中心における幅方向の間隔は、３５ｍｍ以上４５ｍｍ以下である、請求項１から請求項５のいずれかに記載のショーツ型ナプキン。
【発明の詳細な説明】
【技術分野】
【０００１】
本発明は、ショーツ型ナプキンに関する。
【背景技術】
【０００２】
従来、フィット性を高めて経血の漏れを抑制する生理用ナプキンが提供されている（例えば、特許文献１）。特許文献１の生理用ナプキンは、生理用ナプキンの前後方向中心且つ幅方向中心よりも幅方向の外側に配置された一対の溝を有する。特許文献１の溝は、前後方向に延び、幅方向の内側に向かう凸形状である。特許文献１の生理用ナプキンは、生理用ナプキンの前後方向中心且つ幅方向中心が内方向側に膨む（特許文献１の図２参照）。
【先行技術文献】
【特許文献】
【０００３】
【特許文献１】特開２００８−３０２２３８号公報
【発明の概要】
【発明が解決しようとする課題】
【０００４】
しかし、上述の生理用ナプキンには、以下の問題点があった。
【０００５】
特許文献１の生理用ナプキンを使用する際は、着用者が下着のクロッチ部を大凡の目印にして、生理用ナプキンを下着に装着する。このとき、下着と生理用ナプキンの位置決めの確実な基準がないため、着用者によって生理用ナプキンの吸収体の前後方向の位置がずれる。また、同じ着用者であっても、毎回同じ位置に装着できずに、生理用ナプキンの吸収体の前後方向の位置がずれることがある。吸収体の位置が不適切な場合には、吸収体のフィット性が低下し、体液の漏れが生じることがある。
【０００６】
本発明は、上述の課題に鑑みてなされたものであり、どのような着用者であっても吸収体を適切な位置に配置し、体液の漏れを抑制できるショーツ型ナプキンを提供することを目的とする。
【課題を解決するための手段】
【０００７】
本開示のショーツ型ナプキンは、着用者の身体前側と身体後側とに延びる前後方向、前記前後方向に直交する幅方向、着用者に向かう内方向、及び前記内方向と反対側に向かう外方向を有し、身体前側に配置される前胴周り域と、身体後側に配置される後胴周り域と、前記前胴周り域と前記後胴周り域との間に位置し、着用者の股下に配置される股下域、とを備え、肌面シート及び吸収体を有する吸収性本体と、前記前胴周り域に配置される前ウエストベルト部材と、前記後胴周り域に配置される後ウエストベルト部材と、前記前ウエストベルト部材の外側縁と前記後ウエストベルト部材の外側縁とが接合されたサイド接合部と、前記着用者の脚周りに配置される一対の脚周り開口部と、前記着用者の胴周りに配置される腰周り開口部と、前記肌面シート及び前記吸収体が厚み方向に圧搾された圧搾部と、を有するショーツ型ナプキンであって、前記圧搾部は、着用者の排泄口に対向して配置される排泄口対向部よりも幅方向の両外側において前後方向に延びる一対の排泄口圧搾部を有し、前記排泄口圧搾部の前後方向の中心は、前記股下域内において前記ナプキンの前後方向の中心よりも前側に位置することを要旨とする。
【発明の効果】
【０００８】
本開示によれば、どのような着用者であっても吸収体を適切な位置に配置し、体液の漏れを抑制できるショーツ型ナプキンを提供することができる。
【図面の簡単な説明】
【０００９】
【図１】実施形態に係るショーツ型ナプキンの正面図である。
【図２】図１に示すショーツ型ナプキンの展開図である。
【図３】図２に示すＡ−Ａ断面の模式断面図である。
【図４】ショーツ型ナプキンの幅方向の中心を通り、かつ前後方向に沿った断面の断面図である。
【図５】吸収性本体の平面図である。
【図６】ショーツ型ナプキンの装着状態を模式的に示した図である。
【００１０】
（１）ショーツ型ナプキンの全体構成
図１から図５を参照して、実施形態に係るショーツ型ナプキン１の全体構成について説明する。本実施形態に係るショーツ型ナプキン１は、予めパンツ型に形成されたショーツ型ナプキンである。なお、本実施の形態に係るショーツ型ナプキン１は、夜用のショーツ型ナプキンであってもよいし、昼用のショーツ型ナプキンであってもよい。  
【００１１】
ショーツ型ナプキン１は、着用者の身体前側に配置される前胴周り域Ｓ１と、着用者の身体後側に配置される後胴周り域Ｓ２と、着用者の股下に対応し、前胴周り域Ｓ１と後胴周り域Ｓ２との間に位置する股下域Ｓ３と、を有する。
【００１２】
ショーツ型ナプキン１は、着用者の身体前側と身体後側とに延びる前後方向Ｌと、前後方向に直交する幅方向Ｗと、着用者に向かう内方向Ｔ１及び内方向と反対側に向かう外方向Ｔ２に延びる厚み方向Ｔと、を有する。
【００１３】
ショーツ型ナプキン１は、吸収性本体１０と、シャーシ２０と、を備える。吸収性本体１０は、液透過性の本体トップシート１１と、液不透過性の本体フィルム１２と、本体トップシート１１と本体フィルム１２との間に配置される吸収体１３と、本体バックシート１４と、を備える。シャーシ２０は、吸収性本体１０よりも外方向Ｔ２に配置されており、外装トップシート２１と外装バックシート２２を有する。
【００１４】
図２は、図１に示すショーツ型ナプキン１を展開した状態を示す展開平面図である。図２に示す展開平面図は、ショーツ型ナプキン１を構成する本体トップシート１１や本体バックシート１４等の皺が形成されない状態まで、伸縮性部材を伸長させた伸長状態の図である。図３は、図２に示すＡ−Ａ断面図である。図４は、ショーツ型ナプキンの幅方向の中心を通り、かつ前後方向に沿った断面の断面図である。  
【００１５】
ショーツ型ナプキン１は、前胴周り域に配置される前ウエストベルト部材４１と、後胴周り域に配置される後ウエストベルト部材４２と、股下域に配置されるクロッチ部材４３と、を有する。本実施の形態に係るショーツ型ナプキン１は、前ウエストベルト部材４１と、後ウエストベルト部材４２と、クロッチ部材４３と、が前後方向に連続してシャーシ２０を構成する。なお、ショーツ型ナプキンは、クロッチ部材を備えずに、前ウエストベルト部材４１及び後ウエストベルト部材４２を備え、前ウエストベルト部材４１と後ウエストベルト部材４２とを吸収性本体によって繋ぐ構成であってもよい。
【００１６】
図２に示す状態から、ナプキン１の前後方向Ｌにおける中心１ＬＣを起点に前胴周り域Ｓ１と後胴周り域Ｓ２とが重なるように折り畳み、前ウエストベルト部材４１の外側縁と前ウエストベルト部材４１の外側縁とを接合することにより、図１に示すショーツ型ナプキンが形成される。前ウエストベルト部材４１の外側縁と前ウエストベルト部材４１の外側縁とが接合されるサイド接合部２９を、図１及び図２に示す。サイド接合部２９よりも前後方向の内側は、股下域Ｓ３である。
【００１７】
本体トップシート１１は、吸収体１３よりも内方向Ｔ１（内方向側）に位置する。本体トップシート１１には、不織布や開孔プラスチックフィルムなどの液透過性のシートなどが使用される。
【００１８】
本体フィルム１２は、吸収体１３よりも外方向Ｔ２側であって、シャーシ２０よりも内方向Ｔ１側に配置される。本体フィルム１２には、液不透過性のシートなどが使用される。
【００１９】
吸収体１３は、本体トップシート１１及び本体フィルム１２の間に設けられ、着用者からの排泄物を吸収する。吸収体１３には、粉砕パルプと高吸収性ポリマー粒子との混合物などが使用される。パルプの目付は、１００〜８００ｇ／ｍ２であり、高吸収性ポリマー粒子の目付は、０〜１００ｇ／ｍ２である。また、吸収体１３は、シート状になったエアレイドシートでもよい。
【００２０】
本体バックシート１４は、本体フィルム１２の外方向Ｔ２側と、本体トップシート１１の内方向Ｔ１側と、の両方に配置される。本体バックシート１４の幅方向Ｗの中央部は、本体フィルム１２の外方向Ｔ２側に配置される。本体バックシート１４の中央部よりも幅方向の外側は、本体フィルム１２の外側縁を起点に幅方向の内側に折り返され、本体トップシート１１の内方向Ｔ１側に配置される。本体バックシート１４には、不織布等のシートなどが使用される。本体トップシート１１と、本体バックシートの１４の一部とは、吸収体の肌面側に配置されており、肌面側シートを構成する。
【００２１】
本実施の形態の本体バックシート１４は、本体フィルム１２の外方向Ｔ２側と本体トップシート１１の内方向Ｔ１側との両方に配置されているが、変形例においては、本体バックシート１４が本体フィルム１２の外方向Ｔ２側に配置されていなくてもよい。当該変形例においては、本体トップシートの外側縁を覆い、かつ後述する防漏ギャザーを構成するシートを有していることが好ましい。
【００２２】
また、本体フィルム１２と本体バックシート１４は、接着剤を介して接合されている。図３及び図５に、本体フィルム１２と本体バックシート１４が接合されていない非接合領域Ａ１を示す。図５は、吸収性本体の平面図である。図５において、斜線を付した領域が非接合領域Ａ１である。非接合領域Ａ１以外の領域において、本体バックシートと本体フィルムは、ＨＭＡ型接着剤等の接着剤を介して接合されている。
【００２３】
吸収体１３の幅方向の中心から幅方向に延びる所定領域において、本体フィルム１２と本体バックシート１４は、接合されていない。本体フィルム１２と本体バックシート１４の非接合領域Ａ１は、平面視にて後述する圧搾部８０によって囲まれた領域内に設けられている。非接合領域Ａ１は、本体バックシート１４の前後方向の中心よりも前側に偏倚している。
【００２４】
なお、本体フィルム１２と本体バックシート１４以外のショーツ型ナプキンの他の構成部材同士（例えば、本体トップシートと吸収体）も接着剤を介して接合されている。しかし、本実施の形態の説明においては、図示を省略する。
【００２５】
ショーツ型ナプキン１には、着用者の腰周りが挿入される腰周り開口部３１と、着用者の脚がそれぞれ挿入される一対の脚周り開口部３２と、が形成される。腰周り開口部３１は、シャーシ２０の前端縁２０Ｆ及びシャーシ２０の後端縁２０Ｒによって囲まれて形成されている。  
【００２６】
シャーシ２０は、外装トップシート２１と、外装バックシート２２と、少なくとも幅方向Ｗに伸長した状態で配置された伸縮性部材と、を有する。シャーシ２０を構成する前ウエストベルト部材４１の幅方向の長さ及び後ウエストベルト部材４２の幅方向の長さは、吸収性本体１０の幅方向の長さよりも長い。
【００２７】
外装トップシート２１は、少なくとも幅方向に伸縮する伸縮性を有する不織布からなる。外装バックシート２２は、外装トップシート２１の外方向Ｔ２側に配置される。外装バックシート２２は、非伸縮性の不織布からなる。
【００２８】
外装トップシート２１は、前胴周り域Ｓ１側に位置する前側外装トップシート２４と、後胴周り域Ｓ２側に位置する後側外装トップシート２５と、を有する。前側外装トップシート２４と後側外装トップシート２５は、前後方向Ｌに離間している。外装バックシート２２は、前胴周り域Ｓ１、股下域Ｓ３、及び後胴周り域Ｓ２に亘って設けられている。
【００２９】
前側外装トップシート２４の前端縁２４Ｆ及び外装バックシート２２の前端縁２２Ｆは、前胴周り域Ｓ１内に位置し、シャーシ２０の前端縁２０Ｆにおいて後側に折り返されている。前側外装トップシート２４の前端縁２４Ｆ及び外装バックシート２２の前端縁２２Ｆが折り返された部分には、伸縮性部材としての腰周り伸縮性部材２６が配置されている。腰周り伸縮性部材２６は、幅方向に伸張された状態で前側外装トップシート２４間に固定されている。
【００３０】
後側外装トップシート２５の後端縁２５Ｒ及び外装バックシート２２の後端縁２２Ｒは、後胴周り域Ｓ２内に位置し、シャーシ２０の後端縁２０Ｒにおいて前側に折り返されている。後側外装トップシート２５の後端縁２５Ｒ及び外装バックシート２２の後端縁２２Ｒが折り返された部分には、伸縮性部材としての腰周り伸縮性部材２６が配置されている。腰周り伸縮性部材２６は、幅方向に伸張された状態で後側外装トップシート２５間に固定されている。
【００３１】
前側外装トップシート２４の後端縁２４Ｒは、股下域Ｓ３内に位置し、ナプキン１の前後方向の中心１ＬＣよりも前側に位置する。後側外装トップシート２５の前端縁２５Ｆは、股下域Ｓ３内に位置し、ナプキン１の前後方向の中心１ＬＣよりも後側に位置する。
【００３２】
後側外装トップシート２５と外装バックシート２２との間には、伸縮性部材としての脚周り伸縮性部材２７が配置されている。脚周り伸縮性部材２７は、脚周り伸縮性部材２７の外側縁から幅方向の内側に向かって脚周り開口部に沿って配置される第１領域２７Ａと、第１領域から幅方向の内側に向かって延びる第２領域２７Ｂと、を有する。
【００３３】
吸収性本体１０は、肌面側シート及び吸収体が厚み方向に圧搾された圧搾部８０を有する。本実施の形態の圧搾部８０は、吸収体１３と肌面側シートを構成する本体トップシート１１が厚み方向に圧縮されている。圧搾部８０は、吸収体１３と本体トップシート１１が厚み方向に圧縮されているため、本体トップシート１１に排出された体液を、本体トップシート１１を介して吸収体１３に引き込むことができる。
【００３４】
圧搾部８０は、排泄口圧搾部８１と、前側圧搾部８２と、後側圧搾部８３と、を有する。排泄口圧搾部８１と、前側圧搾部８２と、後側圧搾部８３と、は、前後方向Ｌに連続している。圧搾部８０は、平面視にて環状である。図５に、排泄口圧搾部８１の前後方向の範囲と、前側圧搾部８２の前後方向の範囲と、後側圧搾部８３の前後方向の範囲と、を示す。
【００３５】
なお、圧搾部は、排泄口圧搾部８１と前側圧搾部８２とが前後方向に連続していなくてもよいし、排泄口圧搾部８１と後側圧搾部８３とが前後方向Ｌに連続していなくてもよいし、排泄口圧搾部８１、前側圧搾部８２、及び後側圧搾部８３のいずれかが複数の分断された圧搾部によって構成されていてもよい。圧搾部８０は、平面視にて環状でなくてもよい。
【００３６】
排泄口圧搾部８１は、着用者の排泄口に対向して配置される排泄口対向部よりも幅方向の両外側に位置する。排泄口圧搾部８１は、前後方向に延びる。排泄口対向部は、一対の排泄口圧搾部８１によって挟まれた領域である。排泄口対向部は、前後方向において脚周り開口部３２の内側縁３２Ｅが配置された領域を含み、当該内側縁３２Ｅから前後方向Ｌに延びる領域である。本実施の形態の排泄口対向部は、ナプキン１の前後方向の中心１ＬＣよりも前方に位置し、サイド接合部２９よりも前後方向の内側方に位置する。
【００３７】
排泄口圧搾部８１は、幅方向Ｗの内側に向かって突出する第１凸部８１１と、第１凸部８１１の前方に位置し、幅方向の外側に向かって突出する第２凸部８１２と、第１凸部８１１の後方に位置し、幅方向Ｗの外側に向かって突出する第３凸部８１３と、を有する。第２凸部８１２と、第１凸部８１１と、第３凸部８１３と、は、前後方向に連なっている。
【００３８】
排泄口圧搾部８１の前後方向Ｌの中心８１ＬＣは、伸長状態において、股下域Ｓ３内に位置し、かつナプキン１の前後方向の中心１ＬＣよりも前側に位置する。排泄口圧搾部８１の前後方向Ｌの中心８１ＬＣは、第１凸部８１１内に位置する。第１凸部８１１は、第１凸部８１１の頂点（内側縁）と第２凸部８１２の頂点との中間点８１４から、第１凸部８１１の頂点（内側縁）と第３凸部８１３の頂点との中間点８１５までの範囲である。より好ましくは、排泄口圧搾部８１の前後方向Ｌの中心８１ＬＣが第１凸部８１１の頂点（内側縁）と一致していてもよい。
【００３９】
また、前後方向Ｌにおいて第１凸部８１１が配置された範囲内には、脚周り開口部３２の内側縁３２Ｅが配置されている。排泄口圧搾部８１の前後方向の中心８１ＬＣと、ナプキン１の前後方向の中心１ＬＣと、の距離は、１０ｍｍ以上９０ｍｍ以下であり、より好ましくは、４０ｍｍ以上６０ｍｍ以下である。また、吸収体１３の幅方向の長さが８０ｍｍ以上１００ｍｍ以下であり、一対の第１凸部の間隔は、３５ｍｍ以上４５ｍｍ以下であることが好ましい。本実施の形態の吸収体の幅方向の長さは、９０ｍｍであり、一対の第１凸部間の距離は、４０ｍｍである。なお、本実施の形態における距離は、吸収性物品の伸長状態における距離である。
【００４０】
前側圧搾部８２は、排泄口圧搾部８１の前側において前後方向に延びる一対の第１前側圧搾部８２１と、一対の第１前側圧搾部８２１の前端縁に連なり、幅方向に延びる第２前側圧搾部８２２と、を有する。第１前側圧搾部８２１の後端縁と排泄口圧搾部８１の前端縁とは連なっている。第１前側圧搾部８２１と排泄口圧搾部８１の境界は、幅方向の内側に向かって突出する凸部内に位置する。
【００４１】
後側圧搾部８３は、排泄口圧搾部８１の後側において前後方向に延びる一対の第１後側圧搾部８３１と、一対の第１後側圧搾部８３１の後端縁に連なり、幅方向に延びる第２後側圧搾部８３２と、を有する。第１後側圧搾部８３１の前端縁と排泄口圧搾部８１の後端縁とは連なっている。第１後側圧搾部８３１と排泄口圧搾部８１の境界は、幅方向の内側に向かって突出する凸部内に位置する。
【００４２】
なお、第１前側圧搾部８２１及び第１後側圧搾部８３１は、前後方向Ｌに沿った直線に対して傾斜するように形成されていてもよく、前後方向Ｌに沿った直線と、第１前側圧搾部８２１等とによって形成される角度（鋭角側）が４５度以下であるものとする。一方、第２前側圧搾部８２２及び第２後側圧搾部８３２は、幅方向Ｗに沿った直線に対して傾斜するように形成されていてもよく、幅方向Ｗに沿った直線と、第２前側圧搾部８２２等によって形成される角度（鋭角側）が４５度未満であるものとする。
【００４３】
前側圧搾部８２の幅方向の外側には、前後方向に延びる一対の前側サイド圧搾部８４が形成されている。後側圧搾部８３の幅方向の外側には、前後方向に延びる一対の後側サイド圧搾部８５が形成されている。前側サイド圧搾部８４と前側圧搾部８２は、幅方向に離間している。後側サイド圧搾部８５と後側圧搾部８３は、幅方向に離間している。前側サイド圧搾部８４の後端縁は、排泄口圧搾部８１の前端縁よりも前側に位置する。後側サイド圧搾部８５の前端縁は、排泄口圧搾部８１の後端縁よりも後側に位置する。  
【００４４】
後側サイド圧搾部８５は、ナプキン１の前後方向の中心１ＬＣよりも後方に位置し、ナプキン１の前後方向の中心１ＬＣに重なっていない。前側サイド圧搾部８４は、ナプキン１の前後方向の中心１ＬＣよりも前方に位置し、ナプキン１の前後方向の中心１ＬＣに重なっていない。
【００４５】
本実施の形態の吸収体の目付は、一定でない。吸収体１３は、目付が高い部分と低い部分とを有する。例えば、前側圧搾部８２が形成された部分の吸収体の目付は、排泄口対向部の幅方向の中心における吸収体の目付よりも低い。また、排泄口対向部の幅方向の中心における吸収体の目付は、排泄口圧搾部８１が形成された部分の吸収体の目付よりも高い。具体的には、排泄口対向部の幅方向の中心における吸収体の目付は、６００ｇ／ｍ２であり、排泄口圧搾部８１が形成された部分の吸収体の目付は、３００ｇ／ｍ２である。排泄口対向部の幅方向の中心における吸収体の目付は、排泄口圧搾部８１が形成された部分の吸収体の目付の２倍である。また、前側圧搾部８２が形成された部分の吸収体の目付は、１５０ｇ／ｍ２である。なお、吸収体は、目付が一定であってもよい。
【００４６】
吸収性本体１０は、起立性の防漏ギャザーを有する。防漏ギャザー６０は、吸収性本体１０の外側縁に設けられている。防漏ギャザー６０は、吸収体１３よりも内方向に配置される起立性のギャザーである。防漏ギャザー６０は、本体バックシート１４と、本体バックシート１４間に配置された防漏伸縮性部材１５と、によって構成されている。
【００４７】
防漏ギャザー６０は、防漏ギャザー６０よりも外方向側に位置する本体トップシート１１等の裏面側部材に接合される接合部分６１と、防漏伸縮性部材１５が配置され、裏面側部材に接合されず、防漏伸縮性部材１５によって前後方向に収縮する収縮部６２と、を有する。防漏ギャザー６０において、本体バックシート１４と本体トップシート１１とが接合された接合部分６１に斜線を付して示す。接合部分６１は、収縮部６２よりも幅方向の外側に位置する第１接合部分６１Ａと、収縮部６２よりも前後方向の両外側に位置する第２接合部分６１Ｂと、を有する。
【００４８】
裏面側部材は、防漏ギャザー６０よりも外方向側に位置する部材であればよく、例えば、本体トップシート１１、本体フィルム１２、及び本体バックシート１４を例示できる。防漏ギャザー６０は、着用時には接合部分６１を基端部として立ち上がり、収縮部６２が頂点部として着用者の肌と接触する。すなわち、接合部分は、防漏ギャザーの立ち上がりの基端部となる。本体バックシート１４が、撥水性を有するように構成されているため、防漏ギャザーによって着用者から排出された経血等の横漏れを防止することができる。 
【００４９】
なお、収縮部６２は、前側の第２接合部分６１Ｂと後側の第２接合部分６１Ｂの間に位置する。収縮部６２は、防漏伸縮性部材１５によって実質的に前後方向に収縮した部分であり、収縮力が発揮されない状態で防漏伸縮性部材１５が配置された部分を除く概念である。
【００５０】
圧搾部８０は、収縮部６２よりも前後方向に延出している。よって、圧搾部の前端縁は、収縮部の前端縁よりも前方に位置する。また、圧搾部の後端縁は、収縮部の後端縁よりも後方に位置する。また、圧搾部８０は、防漏伸縮性部材１５の前端縁よりも前方に位置する。圧搾部８０は、防漏伸縮性部材１５の後端縁よりも前方に位置する。
【００５１】
伸長状態における吸収性物品の長さは、以下の方法によって測定できる。伸長状態とは、腰回り伸縮性部材、脚回り伸縮性部材、及び防漏伸縮性部材を伸長させた状態であり、より詳細には、吸収性物品を自然状態から伸縮性部材による皺が目視にて確認できない状態まで延伸した状態である。
【００５２】
吸収性物品がパッケージなどに封入されている場合には、パッケージから取り出し、その状態にて（20-2〜20＋2）℃、相対湿度（60-5〜60＋5）％RHの雰囲気下において12時間放置したサンプルを用いる。次いで、サイド接合部分をコールドスプレーなどで綺麗に分離させて、吸収性物品を展開する。次いで、伸長状態まで吸収性物品を引っ張って板に固定し、測定対象部位に沿わせるようにして定規で測定する。
【００５３】
また、吸収体の目付は、以下の方法で測定できる。目付を測定する部分を吸収性物品から切り出し、本体トップシート及び本体フィルム等、吸収体以外の部分を取り除き、吸収体の重量を測定する。吸収体の重量と目付を測定する部分の面積とに基づいて目付を算出する。
【００５４】
（２）ショーツ型ナプキンの装着状態
次いで、このように構成されたショーツ型ナプキンの装着状態を説明する。図６（ａ）、（ｂ）は、本実施の形態に係るショーツ型ナプキンの変形状態を示す。図６（ａ）は、図１のＡ−Ａ断面を基準とした断面図である。図６（ｂ）は、図１のＢ−Ｂ断面を基準とした断面図である。図６（ｃ）は、比較例に係る吸収性物品の変形態様を示す。図６（ｃ）は、図１のＡ−Ａ断面を基準とした断面図である。
【００５５】
装着された状態で着用者の両脚によってショーツ型ナプキンが挟まれると、ショーツ型ナプキンには、幅方向の内側に向かう力が掛かる。図６（ａ）に示すように、排泄口圧搾部８１の前後方向の中心を通る断面においては、排泄口圧搾部８１を起点に、排泄口圧搾部８１よりも幅方向の内側に位置する排泄口対向部が内方向に凸状に変形する。よって、排泄口対向部が膣口にフィットする。吸収体の幅方向中央において、本体バックシート１４と本体フィルム１２が接合されていないため、本体フィルム１２及び吸収体１３は、シャーシ２０及び本体バックシート１４から離間し、内方向側に隆起する。
【００５６】
また、図６（ｂ）に示すように、後側サイド圧搾部８５及び後側圧搾部８３を通る断面においては、後側サイド圧搾部８５によって後側圧搾部８３よりも幅方向の外側の剛性が高くなるため、後側サイド圧搾部８５が設けられた部分が平坦な状態を維持し易い。図示しないが、前側サイド圧搾部８４及び前側圧搾部８２を通る断面においても、前側サイド圧搾部８４によって前側圧搾部８２よりも幅方向の外側の剛性が高くなるため、前側サイド圧搾部８４が設けられた部分が平坦な状態を維持し易い。前側圧搾部８２の幅方向の両外側及び後側圧搾部８３の幅方向の両外側の４カ所に平坦な領域を設けることにより、圧搾部８０によって囲まれた領域が幅方向の内側に押圧され、圧搾部８０によって囲まれた領域全体が内方向側に隆起する。
【００５７】
また、図６（ａ）に示す状態では、防漏ギャザー６０の収縮部６２によって、本体バックシート１４のみが内方向側に立ち上がっており、吸収性本体の側端縁が内方向側に立ち上がっていない。厚み方向Ｔにおいて、吸収性本体１０の外側縁の位置と、排泄口圧搾部８１の位置と、が略一致している。そのため、着用者から幅方向の内側に向かう力が吸収性本体１０に掛かった際に、吸収性本体１０の外側縁を介して、幅方向に沿った力が排泄口圧搾部８１に掛かる。排泄口圧搾部８１は、吸収性本体１０の厚みが凹んだ部分である。よって、幅方向に沿った力が排泄口圧搾部８１に掛かると、排泄口圧搾部８１よりも幅方向の内側には、幅方向の内側かつ内方向Ｔ１に向かう力が掛かる。よって、排泄口圧搾部８１に挟まれた排泄口対向部が内方向側に隆起する。
【００５８】
これに対して、図６（ｃ）は、比較例に掛かるショーツ型ナプキンである。比較例に係るショーツ型ナプキンは、収縮部の前後方向の長さが圧搾部の前後方向の長さよりも長く、収縮部によって吸収性本体の側端縁が内方向に変形している。図６（ｃ）に示す状態では、防漏ギャザーの収縮部によって、本体バックシートのみならず、吸収性本体の外側縁が内方向側に立ち上がっている。吸収性本体の外側縁の位置が、排泄口圧搾部８１の位置よりも内方向側に位置する。そのため、着用者から幅方向の内側に向かう力が吸収性本体に掛かった際に、吸収性本体の外側縁を介して、幅方向の内側かつ外方向Ｔ２に向かう力が排泄口圧搾部８１に掛かる。幅方向の内側かつ外方向に向かう力が排泄口圧搾部８１に掛かると、排泄口圧搾部８１よりも幅方向の内側には、更に幅方向の内側かつ外方向に向かう力が掛かる。よって、排泄口圧搾部８１に挟まれた排泄口対向部が外方向側に隆起する。
【００５９】
（３）作用・効果
ショーツ型ナプキンであるため、着用者は、下着に装着することなく、ショーツ型ナプキンをそのまま着用する。ショーツ型ナプキンは、腰周り開口と脚周り開口部が形成されているため、脚及び腰を挿入すると、どのような着用者であっても前後方向の中心位置は、身体に対してほぼ一定の位置になる。
【００６０】
出願人が種々調査を行った結果、一般的に、着用者の膣口は、股下域内においてショーツ型の着用物品（下着、ショーツ型ナプキン）の前後方向の中心よりも前側に位置することがわかった。
【００６１】
本実施の形態に係るシャーシ２０の前後方向の中心とサイド接合部２９の間には、排泄口圧搾部８１の前後方向の中心８１ＬＣが位置する。排泄口圧搾部８１の前後方向の中心８１ＬＣによって挟まれた領域は、ショーツ型ナプキンが挟まれた際に、排泄口圧搾部８１を起点に幅方向の内側に変形し、内方向側に隆起する。
【００６２】
前後方向において、排泄口圧搾部８１の前後方向の中心８１ＬＣが膣口と対向する領域内に位置するため、排泄口圧搾部８１を起点に隆起した部分を、膣口に対して当てることができる。着用者の膣口に対して吸収体１３の膨らんだ部分がフィットし、体液の漏れを抑制できる。
【００６３】
本実施の形態のショーツ型ナプキンは、ショーツ型であるため、吸収体１３の前後方向の位置ずれが発生し難く、どのような着用者においても、膣口に対して吸収体１３の膨らむ部分を当てることができ、漏れの発生を抑制できる。
【００６４】
排泄口対向部の幅方向の中心における吸収体１３の目付は、排泄口圧搾部８１が形成された部分の吸収体１３の目付よりも高い。よって、排泄口対向部の幅方向の中心は、変形前の状態で内方向に膨らんでいる。よって、着用者の脚によって挟まれた際に、着用者の膣口に対して排泄口対向部の幅方向の中心がフィットし易い。また、排泄口対向部の吸収能力が高くなり、経血が広がり難い。よって、多量の経血を吸収した場合においても、漏れが発生し難い。排泄口圧搾部８１が形成された部分の吸収体１３の目付が比較的低い。例えば、排泄口圧搾部８１が形成された部分の吸収体１３の目付が高すぎると、排泄口圧搾部８１が形成された部分が硬くなり、排泄口圧搾部８１が脚に当たった際に違和感が生じることがある。しかし、排泄口圧搾部８１が形成された部分の吸収体の目付が比較的低いため、排泄口圧搾部８１が脚に当たった際の違和感を抑制できる。
【００６５】
排泄口圧搾部８１の前後方向の中心８１ＬＣが第１凸部８１１内に位置するため、脚によって吸収体１３が挟まれた際に、吸収体１３が第１凸部８１１を起点に変形し易い。よって、左右の排泄口圧搾部８１の第１凸部８１１に挟まれた部分が、内方向側に膨らむように変形し易く、着用者の膣口にフィットする。
【００６６】
また、脚周り開口部３２の内側縁３２Ｅは、着用者の脚が最も幅方向の内側に位置する部分である。脚周り開口部３２の内側縁３２Ｅの前後方向の位置と第１凸部８１１の前後方向の位置が重なっているため、着用者の脚によって挟まれた力が排泄口圧搾部８１の第１凸部８１１に掛かり易くなり、より確実に着用者の膣口に当たる膨らみを形成できる。
【００６７】
また、防漏ギャザー６０によって、ショーツ型ナプキンが前後方向に収縮し過ぎると、図６（ｃ）に示すように、防漏伸縮性部材１５によって吸収性本体１０の外側縁が内方向Ｔ１に突出し、吸収性本体１０の幅方向中央（防漏伸縮性部材よりも幅方向の内側）の領域が外方向Ｔ２に突出するように変形する。すなわち、ショーツ型ナプキン１は、幅方向に沿った断面視において外方向に凸状に変形する。当該変形状態では、排泄口対向部が着用者の身体から離れ、フィット性が低下する。
【００６８】
しかし、本実施の形態のショーツ型ナプキンの圧搾部８０は、防漏ギャザー６０の収縮部６２よりも前後方向の外側に延出している。圧搾部８０が形成された領域は、圧搾部８０が形成されていない領域と比較して剛性が高い。そのため、収縮部６２によって前後方向の内側に収縮する力が掛かっても、圧搾部８０の剛性により吸収体１３の形状を維持する。よって、ショーツ型ナプキンが外方向Ｔ２に凸状に変形することを抑制できる。吸収性本体１０の外側縁は、平坦な状態を維持し、吸収性本体の幅方向中央（防漏伸縮性部材よりも幅方向の内側）の領域が排泄口圧搾部８１を起点に内方向に突出するように変形する。よって、ショーツ型ナプキン１は、幅方向に沿った断面視において内方向に凸状に変形する。
【００６９】
また、着用者の膣口は、ショーツ型の着用物品（下着、ショーツ型ナプキン）の前後方向の中心よりも前側であって、ショーツ型の着用物品の前後方向の中心と着用者の膣口との距離が４０ｍｍ以上６０ｍｍ以下であることが多い。着用者の膣口に対向する位置に、排泄口圧搾部８１の前後方向の中心を配置することにより、着用者の両脚によってショーツ型ナプキンが挟まれた際に、ショーツ型ナプキンが排泄口圧搾部８１を起点に幅方向の内側に変形し、一対の排泄口圧搾部８１に挟まれた部分が内方向側に膨らむ。よって、着用者の膣口に対して吸収体の膨らんだ部分がフィットし、体液の漏れを抑制できる。
【００７０】
吸収体の幅方向の長さが８０ｍｍ以上１００ｍｍ以下であり、一対の第１凸部８１１の間隔は、３５ｍｍ以上４５ｍｍ以下である。下着に装着して使用するショーツ型ナプキンは、下着の寸法（クロッチ部の幅方向の長さ）に合わせる必要があり、一般的に、吸収体の幅方向の長さが７５ｍｍ以下である。下着に装着して使用するショーツ型ナプキンは、吸収体１３の幅方向の長さが比較的短いため、経血の横漏れが生じたり、排泄口対向部を内方向側に十分に膨らんだ状態に変形できなかったりすることがある。本実施の形態のショーツ型ナプキン１は、下着の寸法に合わせる必要がなく、十分に吸収体１３の幅を確保し、吸収性能を向上させることができる。また、一対の第１凸部８１１間の距離が３５ｍｍ以上４５ｍｍ以下である。一対の第１凸部８１１間の距離を広く確保することにより、内方向側により高く隆起し、よりフィット性を向上できる。
【００７１】
排泄口圧搾部８１の前側には、幅方向に延びる第２前側圧搾部８２２が形成されている。第２前側圧搾部８２２が設けられていることにより、膣口と対向する部分（排泄口対向部）よりも前側において幅方向の外側から力が掛かった際に意図しない変形（よれ）を防止できる。また、排泄口対向部よりも前側の目付が高すぎると、違和感が生じ易い。しかし、前側圧搾部８２が形成された部分の吸収体の目付は、排泄口対向部の幅方向の中心における吸収体の目付よりも低く、違和感を抑制できる。
【００７２】
前側圧搾部８２の幅方向の外側の剛性及び後側圧搾部８３の幅方向の外側の剛性が低い場合は、ショーツ型ナプキン１を装着したときに、幅方向の外側からの圧縮力によって前側圧搾部８２の幅方向の外側及び後側圧搾部８３の幅方向の外側が内方向側に隆起する。この状態で、ショーツ型ナプキンに対して幅方向の内側に向かう圧縮力が更に作用すると、幅方向の内側に向かう力によって前側圧搾部に挟まれた部分及び後側圧搾部に挟まれた部分が外方向側に変形し易い。
【００７３】
しかし、前側サイド圧搾部８４及び後側サイド圧搾部８５が設けられていることにより、前側サイド圧搾部８４及び後側サイド圧搾部８５が平坦な状態を維持し、前側圧搾部８２の幅方向の外側及び後側圧搾部８３の幅方向の外側が内方向側に持ち上がり難い。そのため、前側圧搾部８２の幅方向の外側及び後側圧搾部８３の幅方向の外側は、前側圧搾部８２及び後側圧搾部８３と同等の位置（上下方向の位置）を保つことができる。この状態で、ショーツ型ナプキン１に対して幅方向の内側に向かう圧縮力が更に作用すると、前側圧搾部８２の幅方向の外側及び後側圧搾部８３の幅方向の外側を介して吸収体１３下部に対して上向きの力を掛けることができ、吸収体の幅方向の中心が内方向側に隆起する。
【００７４】
前側サイド圧搾部８４及び後側サイド圧搾部８５は、ナプキン１の前後方向の中心１ＬＣに重なっていない。ショーツ型ナプキン１は、ナプキン１の前後方向の中心１ＬＣを起点に折り畳まれた状態でサイド接合部２９が形成されており、ナプキン１の前後方向の中心１ＬＣを起点に折り畳まれた状態で流通する。よって、ナプキン１の前後方向の中心１ＬＣには、折り癖が形成される。例えば、前側サイド圧搾部８４及び後側サイド圧搾部８５がナプキン１の前後方向の中心１ＬＣに重なっていると、前側サイド圧搾部８４及び後側サイド圧搾部８５による平坦な状態を維持する効果が低減することがある。しかし、前側サイド圧搾部８４及び後側サイド圧搾部８５は、ナプキン１の前後方向の中心１ＬＣに重なっていないため、前側サイド圧搾部８４及び後側サイド圧搾部８５によって平坦な状態を維持できる。  
【００７５】
本体フィルム１２と本体バックシート１４の接合領域は、吸収体１３の幅方向中央に設けられてなく、吸収体１３の幅方向の中央から幅方向外側にずれた位置に設けられている。よって、本体フィルム１２及び本体フィルム１２よりも内方向Ｔ１に位置する吸収体１３は、吸収体１３の幅方向の中央において、本体バックシート１４及び本体バックシート１４よりも外方向Ｔ２に位置するシャーシ２０から離れて変形可能となる。よって、吸収体１３の幅方向中央において、吸収体がより自由に変形可能となり、吸収体が内方向側に膨らむように変形し易い。よって、フィット性を向上できる。
【００７６】
本実施の形態のショーツ型ナプキンは、着用者が直接（下着を介さずに）装着する。よって、装着感を向上させるための構成を備える。具体的には、排泄口対向部の吸収体の目付は、７００ｇ／ｍ２以下である。排泄口対向部の吸収体の秤量が高すぎると、排泄口圧搾部８１が硬くなりすぎ、装着感が悪化するおそれがある。排泄口対向部の吸収体の目付は、７００ｇ／ｍ２以下であることにより、排泄口圧搾部８１が硬くなりすぎず、違和感を抑制できる。
【００７７】
また、排泄口対向部よりも前方の吸収コアの厚み、及び排泄口対向部よりも後方の吸収コアの厚みは、３．０ｍｍ以下である。排泄口対向部よりも前方及び後方の吸収コアの厚みが厚すぎると、装着時に蒸れや違和感が生じることがある。本実施の形態の排泄口対向部よりも前方の吸収コアの厚み、及び排泄口対向部よりも後方の吸収コアの厚みの最大値は、２．８ｍｍである。一方、排泄口対向部の吸収コアの厚みは、８．０ｍｍ以上である。排泄口対向部の吸収コアの厚みを十分に確保することにより、膣口へのフィット性を向上させることができる。  
【００７８】
加えて、シャーシを構成する外装トップシートは、幅方向に伸縮性を有する。外装トップシートは、着用者の腰周りの全周囲を覆うように配置される。よって、ショーツ型ナプキンのシャーシ全体が着用者の腰周りにフィットし、ショーツ型ナプキンが身体から離れたり、たるんだりすることがなく、使用者は、下着のような装着感を得ることができる。
【００７９】
（４）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００８０】
ショーツ型ナプキンは、吸収体と表面シートの間に配置される中間シートを有していてもよい。また、ショーツ型ナプキンは、複数の表面シートを有していてもよい。
【００８１】
また、排泄口圧搾部の前後方向の中心が、幅方向の外側に向かって突出する形状の凸部内に位置していてもよい。幅方向の外側に向かって突出する形状の凸部内に排泄口圧搾部の前後方向の中心が位置する構成においても、脚によって挟まれた際に、吸収体が凸部を起点に変形し、左右の排泄口圧搾部の前後方向の中心に挟まれた部分を、内方向側に膨らむように変形させ易い。
【符号の説明】
【００８２】
１        ：ショーツ型ナプキン
１ＬＣ    ：ナプキンの前後方向の中心
１０      ：吸収性本体
１１      ：本体トップシート
１２      ：本体フィルム
１３      ：吸収体
１４      ：本体バックシート
１５      ：防漏伸縮性部材
２０      ：シャーシ
２１      ：外装トップシート
２２      ：外装バックシート
２４      ：前側外装トップシート
２５      ：後側外装トップシート
２６      ：腰周り伸縮性部材
２７      ：脚周り伸縮性部材
２９      ：サイド接合部
３１      ：腰周り開口部
３２      ：脚周り開口部
４１      ：前ウエストベルト部材
４２      ：後ウエストベルト部材
６０      ：防漏ギャザー
６１      ：接合部分
６２      ：収縮部
８０      ：圧搾部
８１      ：排泄口圧搾部
８１ＬＣ  ：排泄口圧搾部の前後方向の中心
８２      ：前側圧搾部
８３      ：後側圧搾部
８４      ：前側サイド圧搾部
８５      ：後側サイド圧搾部
Ａ１      ：非接合領域
Ｓ１      ：前胴周り域
Ｓ２      ：後胴周り域
Ｓ３      ：股下域
Ｌ        ：前後方向
Ｔ        ：厚み方向
Ｗ        ：幅方向
【要約】
【課題】どのような着用者であっても吸収体を適切な位置に配置し、体液の漏れを抑制できるショーツ型ナプキンを提供する。
【解決手段】ショーツ型ナプキン１は、肌面シート及び吸収体を有する吸収性本体１０と、前胴周り域Ｓ１に配置される前ウエストベルト部材４１と、後胴周り域Ｓ２に配置される後ウエストベルト部材４２と、前ウエストベルト部材の外側縁と後ウエストベルト部材の外側縁とが接合されたサイド接合部２９と、肌面シート及び吸収体が厚み方向に圧搾された圧搾部８０と、を有する。圧搾部８０は、着用者の排泄口に対向して配置される排泄口対向部よりも幅方向の両外側において前後方向に延びる一対の排泄口圧搾部８１を有し、排泄口圧搾部８１の前後方向の中心８１ＬＣは、股下域Ｓ３内においてナプキンの前後方向の中心１ＬＣよりも前側に位置する。
【選択図】図２【図１】
0005898285.tif 000002
【図２】
0005898285.tif 000003
【図３】
0005898285.tif 000004
【図４】
0005898285.tif 000005
【図５】
0005898285.tif 000006
【図６】
0005898285.tif 000007